(57)【要約】【課題】正確な輝度制御を行う。【解決手段】制御回路（６）は、輝度安定化期間では輝度検出領域駆動回路（２）を制御して輝度検出領域（１ｂ）の表示を白色とし光センサ（５）で検出した輝度を基にバックライト輝度調整回路（４）を制御してバックライト（３）の輝度を調整し、輝度安定化期間以外の期間では輝度検出領域駆動回路（２）を制御して輝度検出領域（１ｂ）の表示を白色と灰色に短時間で変化させる。【効果】輝度安定化期間以外の期間では輝度検出領域（１ｂ）の表示を白色と灰色に短時間で変化させるため、輝度検出領域（１ｂ）の焼付きを防止でき、輝度検出領域（１ｂ）と画像表示領域（１ｄ）の輝度の整合性を維持でき、正確な輝度制御を行うことが出来る。【選択図】図１
2007156284.tif 000002
【特許請求の範囲】
【請求項１】
液晶パネルと、前記液晶パネルの表示面の一部に設けられた輝度検出領域の表示のために前記液晶パネルを駆動する輝度検出領域駆動回路と、前記液晶パネルの背面に設けられたバックライトと、前記バックライトの輝度を調整するバックライト輝度調整回路と、前記輝度検出領域の光を受光する光センサと、輝度安定化期間に前記輝度検出領域駆動回路を介して前記輝度検出領域に白色を表示しその時の輝度を前記光センサで検出し前記バックライト輝度調整回路を介して前記バックライトの輝度を調整すると共に前記輝度安定化期間外の全部または一部の期間に前記輝度検出領域駆動回路を介して前記輝度検出領域に灰色を表示する制御回路とを具備することを特徴とする液晶表示装置。
【請求項２】
請求項１に記載の液晶表示装置において、前記輝度安定化期間は、液晶表示装置の電源投入直後の所定期間、ユーザによって表示輝度が変更されたときの所定期間および一定周期毎の所定期間の少なくとも一つを含むことを特徴とする液晶表示装置。
【請求項３】
請求項１または請求項２に記載の液晶表示装置において、前記制御回路は、前記輝度安定化期間外の期間に、１秒間の白色表示と２秒間の灰色表示とを繰り返すことを特徴とする液晶表示装置。
【発明の詳細な説明】
【技術分野】
【０００１】
本発明は、液晶表示装置に関し、さらに詳しくは、液晶パネルの表示面の一部に設けられた輝度検出領域の焼付きを防止し、輝度検出領域と画像表示領域の輝度の整合性を維持し、正確な輝度制御を行えるようにした液晶表示装置に関する。
【背景技術】
【０００２】
従来、液晶パネルの表示面の一部に設けられた輝度検出領域の輝度を光センサで検出し、バックライトの輝度を調整する液晶表示装置が知られている（例えば、特許文献１，２参照。）。
【特許文献１】特開２００３−９０７８０号公報
【特許文献２】特開平８−２９２１２９号公報
【発明の開示】
【発明が解決しようとする課題】
【０００３】
液晶表示装置では、同じ画像を長時間表示させると、焼付きと呼ばれる残像現象が起こることが知られている。また、焼付きは白色または黒色を表示した場合に起こりやすい。
つまり、液晶表示装置の輝度検出領域に常に白色を表示させておくと、輝度検出領域に焼付きを起こすことになる。
しかし、焼付きが起こると、輝度検出領域と画像表示領域とで光の透過率が変わることになり、輝度検出領域と画像表示領域の輝度の整合性が取れなくなるため、輝度検出領域の光を基に輝度を制御しても、画像表示領域の輝度を適正にすることが出来なくなる問題点があった。
そこで、本発明の目的は、輝度検出領域の焼付きを防止し、輝度検出領域と画像表示領域の輝度の整合性を維持し、正確な輝度制御を行えるようにした液晶表示装置を提供することにある。
【課題を解決するための手段】
【０００４】
第１の観点では、本発明は、液晶パネルと、前記液晶パネルの表示面の一部に設けられた輝度検出領域の表示のために前記液晶パネルを駆動する輝度検出領域駆動回路と、前記液晶パネルの背面に設けられたバックライトと、前記バックライトの輝度を調整するバックライト輝度調整回路と、前記輝度検出領域の光を受光する光センサと、輝度安定化期間に前記輝度検出領域駆動回路を介して前記輝度検出領域に白色を表示しその時の輝度を前記光センサで検出し前記バックライト輝度調整回路を介して前記バックライトの輝度を調整すると共に前記輝度安定化期間外の全部または一部の期間に前記輝度検出領域駆動回路を介して前記輝度検出領域に灰色を表示する制御回路とを具備することを特徴とする液晶表示装置を提供する。
上記第１の観点による液晶表示装置では、輝度安定化期間には輝度検出領域に白色を表示するが、それ以外の全期間または一部期間は輝度検出領域に灰色を表示する。つまり、輝度検出領域で表示される階調値が変化する。これにより、輝度検出領域の焼付きを防止でき、輝度検出領域と画像表示領域の輝度の整合性を維持でき、正確な輝度制御を行うことが出来る。
【０００５】
第２の観点では、本発明は、前記第１の観点による液晶表示装置において、前記輝度安定化期間は、液晶表示装置の電源投入直後の所定期間、ユーザによって表示輝度が変更されたときの所定期間および一定周期毎の所定期間の少なくとも一つを含むことを特徴とする液晶表示装置を提供する。
上記第２の観点による液晶表示装置では、液晶表示装置の電源投入直後の所定期間またはユーザによって表示輝度が変更されたときの所定期間または一定周期毎の所定期間にバックライトの輝度を安定化することが出来る。
【０００６】
第３の観点では、本発明は、前記第１または第２の観点による液晶表示装置において、前記制御回路は、前記輝度安定化期間外の期間に、１秒間の白色表示と２秒間の灰色表示とを繰り返すことを特徴とする液晶表示装置を提供する。
上記第３の観点による液晶表示装置では、輝度安定化期間以外の期間では輝度検出領域の表示を白色と灰色に短時間に変化させるため、輝度検出領域の焼付きを防止でき、輝度検出領域と画像表示領域の輝度の整合性を維持でき、正確な輝度制御を行うことが出来る。
【発明の効果】
【０００７】
本発明の液晶表示装置によれば、輝度安定化期間以外の期間では輝度検出領域の表示を変化させるため、輝度検出領域の焼付きを防止でき、輝度検出領域と画像表示領域の輝度の整合性を維持でき、正確な輝度制御を行うことが出来る。
【発明を実施するための最良の形態】
【０００８】
以下、図に示す実施の形態により本発明をさらに詳細に説明する。なお、これにより本発明が限定されるものではない。
【実施例１】
【０００９】
図１は、実施例１にかかる液晶表示装置１０を示す構成説明図である。
この液晶表示装置１０は、液晶パネル１と、液晶パネル１の表示面１ａの一部に設けられた輝度検出領域１ｂの表示のために液晶パネル１を駆動する輝度検出領域駆動回路２と、液晶パネル１の背面側に設けられたバックライト３と、バックライト３の輝度を調整するバックライト輝度調整回路４と、輝度検出領域１ｂの光を受光する光センサ５と、輝度検出領域駆動回路２を制御すると共に光センサ５で検出した輝度に基づいてバックライト輝度調整回路４を制御しバックライト３の輝度を調整する制御回路６とを具備している。
【００１０】
図２は、制御回路６による輝度調整制御処理を示すフロー図である。この輝度調整制御処理は、液晶表示装置１０の電源投入により起動される。
【００１１】
ステップＳ１では、輝度検出領域駆動回路２を制御して輝度検出領域１ｂに白色を表示する。例えばＲ，Ｇ，Ｂがそれぞれ２５６階調なら、Ｒ＝Ｇ＝Ｂ＝２５６とする。
ステップＳ２では、光センサ５で検出した輝度に基づいてバックライト輝度調整回路４を制御し、バックライト３の輝度を調整する。この調整方法は従来公知の方法でよい。
【００１２】
ステップＳ３では、現在が輝度安定化期間であるかを判定し、輝度安定化期間であるならステップＳ１に戻り、輝度安定化期間でないならステップＳ４へ進む。  輝度安定化期間は、例えば液晶表示装置１０の電源投入直後の所定期間（例えば５分間）およびユーザによって表示輝度が変更されたときの所定期間（例えば５分間）および一定周期（例えば３０分間）毎の所定期間（例えば５分間）である。
【００１３】
ステップＳ４では、輝度検出領域駆動回路２を制御して輝度検出領域１ｂに灰色を表示する。例えばＲ，Ｇ，Ｂがそれぞれ２５６階調なら、Ｒ＝Ｇ＝Ｂ＝１２８とする。
ステップＳ５では、輝度検出領域駆動回路２を制御して輝度検出領域１ｂに白色を表示する。例えばＲ，Ｇ，Ｂがそれぞれ２５６階調なら、Ｒ＝Ｇ＝Ｂ＝２５６とする。そして、ステップＳ３に戻る。
【００１４】
上記液晶表示装置１０によれば、輝度安定化期間では輝度検出領域１ｂの表示を白色として輝度調整を容易にし、輝度安定化期間以外の期間では輝度検出領域１ｂの表示を白色と灰色に短時間で変化させるため、輝度検出領域１ｂの焼付きを防止することが出来る。従って、輝度検出領域１ｂと画像表示領域１ｄの輝度の整合性を維持でき、正確な輝度制御を行うことが出来る。
【産業上の利用可能性】
【００１５】
本発明の液晶表示装置は、フラットパネル型ディスプレイとして利用できる。
【図面の簡単な説明】
【００１６】
【図１】実施例１にかかる液晶表示装置を示す構成説明図である。
【図２】実施例１にかかる制御回路を動作を示すフロー図である。
【符号の説明】
【００１７】
１                      液晶パネル
１ａ                    表示面
１ｂ                    輝度検出領域
２                      輝度検出領域駆動回路
３                      バックライト
４                      バックライト輝度調整回路
５                      光センサ
６                      制御回路
１０                    液晶表示装置
【図１】
2007156284.tif 000003
【図２】
2007156284.tif 000004